(57)【要約】【課題】操作性を向上させたタッチパッド、情報処理端末、タッチパッドの制御方法、及びプログラムを提供する。【解決手段】表示部を有する情報処理端末に情報を入力するポインティングエリアを有するタッチパッドにおいて、ポインティングエリアは、ポインティングエリア上でユーザが行った動作を検知すると共に、複数の領域に仕切られており、各領域は、表示部に表示される複数の画面に対応付けられている。【選択図】図１
2011076363.tif 000002
【特許請求の範囲】
【請求項１】
表示部を有する情報処理端末に情報を入力するポインティングエリアを有するタッチパッドにおいて、
前記ポインティングエリアは、前記ポインティングエリア上でユーザが行った動作を検知すると共に、複数の領域に仕切られており、
各前記領域は、前記表示部に表示される複数の画面に対応付けられていることを特徴とするタッチパッド。
【請求項２】
前記複数の領域のうち一の領域より入力を行うと、前記一の領域に対応づけられた前記複数の画面のうちの一の画面の操作が可能になり、
前記一の領域より入力した後、他の前記領域の入力を行うと、前記他の領域に対応付けられた他の前記画面の操作が可能になることを特徴とする請求項１に記載のタッチパッド。
【請求項３】
前記一の画面はリモートデスクトップ又はローカルデスクトップのいずれか一方であり、前記他の画面はリモートデスクトップ又はローカルデスクトップのうちの他方であることを特徴とする請求項２に記載のタッチパッド。
【請求項４】
前記一の画面は仮想デスクトップ又は通常デスクトップのいずれか一方であり、前記他の画面は仮想デスクトップ又は通常デスクトップのうちの他方であることを特徴とする請求項２に記載のタッチパッド。
【請求項５】
前記ポインティングエリアは、各前記領域の境界を示す境界部を有することを特徴とする請求項１に記載のタッチパッド。
【請求項６】
表示部と、データ情報を入力するポインティングエリアを有するタッチパッドと、
前記表示部及び前記タッチパッドを制御する制御部と、を備えた情報処理端末において、
前記制御部は、前記ポインティングエリアにおける前記指の位置が各前記領域の境界を示す境界部をそのまま超えた場合は各前記領域に対応付けられた画面が切り替わらず、
前記指の位置が前記境界部を超える前に一旦消滅する程度に前記ポインティングエリアから離れる場合は前記画面が切り替わるように制御することを特徴とする情報処理端末。
【請求項７】
前記制御部は、前記複数の領域のうち一の領域より入力を行うと、前記一の領域に対応づけられた前記複数の画面のうちの一の画面の操作が可能になり、
前記一の領域より対応した後、他の前記領域の入力を行うと、前記他の領域に対応付けられた他の前記画面の操作が可能になるように制御することを特徴とする請求項６に記載の情報処理端末。
【請求項８】
前記タッチパッドは、前記情報処理端末にコネクタケーブルを介して着脱自在に接続されることを特徴とする請求項６に記載の情報処理端末。
【請求項９】
前記タッチパッドは、前記情報処理端末に無線通信手段により接続されることを特徴とする請求項６に記載の情報処理端末。
【請求項１０】
表示部を有する情報処理端末に情報を入力するポインティングエリアを有するタッチパッドの制御方法において、
前記タッチパッドのポインティングエリアが複数の領域に仕切られているか否かを判断し、前記ポインティングエリアが複数の領域に仕切られている場合には、各前記領域を前記表示部に表示される複数の画面に対応付け、仕切られていない場合には前記ポインティングエリアの単一の領域を前記表示部の単一の画面に対応付けることを特徴とするタッチパッドの制御方法。
【請求項１１】
表示部を有する情報処理端末に情報を入力するポインティングエリアを有するタッチパッドの制御用のプログラムにおいて、
コンピュータに、
前記タッチパッドのポインティングエリアが複数の領域に仕切られているか否かを判断する手順、
前記ポインティングエリアが複数の領域に仕切られている場合には、各前記領域を前記表示部に対応付けられて表示される複数の画面にそれぞれ連動させる手順、
前記ポインティングエリアが複数の領域に仕切られていない場合には前記ポインティングエリアに対応した単一の画面を前記表示部に表示させる手順、
を実行させることを特徴とするプログラム。
【発明の詳細な説明】
【技術分野】
【０００１】
本発明は、タッチパッド、情報処理端末、タッチパッドの制御方法、及びプログラムに関する。
【背景技術】
【０００２】
パーソナルコンピュータの入力装置としてキーボード、ポインティングデバイス、マウス、タッチパッド等が挙げられる。このうちタッチパッドは、一般にポインティングエリアと、二つのボタンとで構成され、主にパーソナルコンピュータのキーボードと一体的に形成されており、ユーザが指を接触させるか、接触しないまでもタッチパッド上でセンサが検知できる程度の距離を保ちながら指を動作させることで表示部の画面上のカーソルを移動させることができるようになっている。
【０００３】
近年、この種のタッチパッドの中にはポインティングエリアを二つの領域に仕切って、一の領域をスクロールするための特定領域として機能させることが行われている（例えば、特許文献１〜３）。
【０００４】
特許文献１に記載の発明は、「タッチパッド」に関するものであり、具体的には、「指示体が接触する操作面を有し、指示体の操作面上の接触位置を検知して出力するタッチパッドであって、操作面は、指示体の接触移動量と接触移動方向とを、各々コンピュータの表示画面上の表示物の移動量と移動方向との制御情報として出力するための１以上の特定領域を有すると共に、特定領域に沿って、指示体の移動を制動する制動部材を設けた」ものである。
【０００５】
特許文献１に記載の発明によれば、制動部材の存在により、特定領域を操作する際に指やペン等の指示体に対して、操作感を与えることが可能となるとしている。
【０００６】
特許文献２に記載の発明は、「タッチパッド」に関するものであり、具体的には、「指示体の接触位置を、座標上の位置情報である絶対座標情報として出力するタッチパッドにおいて、指示体の接触移動量に基づく位置情報を、絶対座標情報として出力するポインティング操作領域と、指示体の接触停止時間に基づく位置情報を、絶対座標情報として出力する特定領域と、を具備する」ものである。
特許文献１に記載の発明によれば、タッチパッドにスクロール領域とポインティング領域とを備え、指１本でスクロール操作とポインティング操作ができると共に、スクロール操作は、指を特定領域に触れているだけで行うことができるとしている。
【０００７】
特許文献３に記載の発明は、「タッチパッド」に関するものであり、具体的には、上面に第１の機能を指示する第１の領域と第２の機能を指示する第２の領域との境界線上にリブを設けたものである。
特許文献３に記載の発明によれば、使用者がポインティング領域を使用中に誤ってスクロール領域まで指を移動することを防止させる効果と、使用者がタッチパッドを見なくともなぞっている領域を識別できる効果とを有するとしている。
【先行技術文献】
【特許文献】
【０００８】
【特許文献１】特開２００３−０９１３６１号公報
【特許文献２】特開２０００−１８１６１７号公報
【特許文献３】特開２０００−０２０１９４号公報
【発明の概要】
【発明が解決しようとする課題】
【０００９】
ところで、上述した特許文献１〜３に記載の発明は、１つのアクティブウィンドウに対して、スクロール操作を割り当てるといった、１つの画面を操作するための機能に特化したものである。
しかし、複数の画面を利用する場合は、機能の割り当て方法が考慮されていないため、利便性に課題がある。
デュアルディスプレイ環境のような複数の画面や１５型以上の大きな画面を用いる場合には、一の画面と他の画面との間でポインタ（カーソルとも言う）を移動させる際に、ポインタに対応する指の移動距離が長くなるため、操作に手間がかかる場合が多く、上述した従来技術では解決できない。
すなわち、例えば、一の画面にプレゼンテーションのスライドを表示させた状態で、他の画面のＰＣ(Personal Computer)操作を行うと、スライドを切り替えるたびに一の画面から他の画面にポイントをその都度移動させてからスライド切り替え操作を行う必要があり、操作性に改善の余地がある。
【００１０】
そこで、本発明の目的は、操作性を向上させたタッチパッド、情報処理端末、タッチパッドの制御方法、及びプログラムを提供することにある。
【課題を解決するための手段】
【００１１】
本発明の第１の装置は、表示部を有する情報処理端末に情報を入力するポインティングエリアを有するタッチパッドにおいて、前記ポインティングエリアは、前記ポインティングエリア上でユーザが行った動作を検知すると共に、複数の領域に仕切られており、各前記領域は、前記表示部に表示される複数の画面に対応付けられていることを特徴とする。
【００１２】
本発明の第２の装置は、表示部と、データ情報を入力するポインティングエリアを有するタッチパッドと、前記表示部及び前記タッチパッドを制御する制御部と、を備えた情報処理端末において、前記制御部は、前記ポインティングエリアにおける前記指の位置が各前記領域の境界を示す境界部をそのまま超えた場合は各前記領域に対応付けられた画面が切り替わらず、前記指の位置が前記境界部を超える前に一旦消滅する程度に前記ポインティングエリアから離れる場合は前記画面が切り替わるように制御することを特徴とする。
【００１３】
本発明の方法は、表示部を有する情報処理端末に情報を入力するポインティングエリアを有するタッチパッドの制御方法において、前記タッチパッドのポインティングエリアが複数の領域に仕切られているか否かを判断し、前記ポインティングエリアが複数の領域に仕切られている場合には、各前記領域を前記表示部に表示される複数の画面に対応付け、仕切られていない場合には前記ポインティングエリアの単一の領域を前記表示部の単一の画面に対応付けることを特徴とする。
【００１４】
本発明のプログラムは、表示部を有する情報処理端末に情報を入力するポインティングエリアを有するタッチパッドの制御用のプログラムにおいて、コンピュータに、前記タッチパッドのポインティングエリアが複数の領域に仕切られているか否かを判断する手順、前記ポインティングエリアが複数の領域に仕切られている場合には、各前記領域を前記表示部に対応付けられて表示される複数の画面にそれぞれ連動させる手順、前記ポインティングエリアが複数の領域に仕切られていない場合には前記ポインティングエリアに対応した単一の画面を前記表示部に表示させる手順、を実行させることを特徴とする。
【発明の効果】
【００１５】
本発明によれば、操作性を向上させたタッチパッド、情報処理端末、タッチパッドの制御方法、及びプログラムの提供を実現することができる。
【図面の簡単な説明】
【００１６】
【図１】（ａ）は、本発明に係るタッチパッドを用いた情報処理端末の一実施の形態を示す外観図であり、（ｂ）は、（ａ）のタッチパッドの拡大図であり、（ｃ）は、（ａ）のブロック図の一例である。
【図２】本発明に係るタッチパッドの制御方法の一実施の形態を示すフローチャートである。
【図３】本発明に係る情報処理端末による画面表示の一例を示す図である。
【図４】本発明に係る情報処理端末による画面表示の他の一例を示す図である。
【図５】本発明に係るタッチパッドを用いた情報処理端末の他の実施の形態を示す外観図である。
【図６】図５に示した情報処理端末のブロック図の一例である。
【図７】（ａ）、（ｂ）は、本発明に係るタッチパッドを用いた情報処理端末の他の実施の形態を示す外観図である。
【発明を実施するための形態】
【００１７】
＜実施の形態１＞
［構  成］
次に本発明に係るタッチパッドを用いた情報処理端末について図面を参照して説明する。尚、本実施形態では、静電容量式のタブレットの場合で説明するが、本発明は、これに限定されるものではない。
図１（ａ）は、本発明に係るタッチパッドを用いた情報処理端末の一実施の形態を示す外観図であり、図１（ｂ）は、図１（ａ）のタッチパッドの拡大図であり、図１（ｃ）は、図１（ａ）のブロック図の一例である。
【００１８】
図１（ａ）に示すように、この情報処理端末は主にタッチパッドＴＰと、情報処理端末本体ＢＤとの２つの機器から構成される。
情報処理端末本体ＢＤは、表示部１２、キーボード１５、及びタッチパッドＴＰを有する。本実施形態では、タッチパッドＴＰが情報処理端末ＰＣのタッチパッドであり、情報処理端末本体ＢＤはタッチパッドＴＰが接続されたパーソナルコンピュータである。
【００１９】
タッチパッドＴＰは、データを入力するため、ユーザの指によるジェスチャーを検知するポインティングエリアＰＡと、複数（図では２つであるが限定されない）ボタンＢＡ、ＢＢとで構成される。ポインティングエリアＰＡは、キーボード１５のキー入力により、単一の領域と、複数（図では二つであるが限定されない。）の領域Ａ及び領域Ｂに設定することができる。ポインティングエリアＰＡが複数に仕切られている場合には各領域Ａ、Ｂが表示部１２の二つの画面にそれぞれ連動するようになっている。
ポインティングエリアＰＡには、領域Ａと領域Ｂとの境界を示す境界部Ｌを有する。境界部Ｌは、印刷による線、溝、条、もしくは内部からの照明光による表示のいずれであってもよい。
ポインティングエリアＰＡにユーザの指が接触するか、所定の距離（例えば、数ｍｍ）内に接近すると、ポインティングエリアＰＡ内にユーザの指があるものと認識されるようになっている。
【００２０】
図１（ｃ）に示すセンサ基板１は、複数の横配線走査線（図１（ｃ）のＸ軸方向）と縦配線走査線（図１（ｃ）のＹ軸方向）がマトリクス状に形成されており、指がポインティングエリアＰＡに接触することで各走査線を流れる電流値が変化するように構成される。
【００２１】
本実施の形態によるタッチパッドＴＰは、静電容量式のタブレットと呼ばれる方式を採用しており、静電フィルムの表面と裏面とにそれぞれマトリックス状の電極が設けられ、静電フィルムの一端からパルスを与えて電界を形成させてある。このように構成すると、指がポインティングエリアＰＡを介して静電フィルムに触れることで接触部分の静電容量が減るので、この静電容量の変化を電流値の変化に変換して指の接触部分の位置が検知される。
【００２２】
すなわち、接触部分の座標位置が横方向走査線と縦方向走査線との交点により指定されることになる。また、指が接触された後に離されたことを検出すれば、マウスのクリックボタンに相当するタッピングの操作が検出できることになる。
【００２３】
図１（ａ）のポインティングエリアＰＡにユーザの指が触れている間中は、変化した電流が流れ続けるので、この電流が後述する制御手段としてのＣＰＵ(Central Processing Unit)１１に継続して送信される。したがって、指がポインティングエリアＰＡに接触している間はスクロール制御が行われる。また、ポインティングエリアＰＡにおいては、接触部分の位置の変化を算出することで、指の位置の変化を検出してポインティング制御が行われるようになっている。なお、タッチパッドＴＰは静電容量式でなくても良く、例えば感圧式などの方式を採用したものであっても良い。
【００２４】
次に、横方向走査部２は、センサ基板１の横方向の走査を行う回路であって、多数の信号出力がセンサ基板１の横方向走査線に接続される。縦方向走査部３は、センサ基板１の縦方向の走査を行う回路であって、多数の信号入力がセンサ基板１の縦方向走査線に接続され、指の走査状態を表わすシリアル検出信号を発生させる。このシリアル検出信号は、指をセンサ基板１のポインティングエリアＰＡにタッピングさせた際に生じるタップ成分と、ポインティングエリアＰＡ上で指を滑らせた際に生じるスライド成分及び特定領域で検出される電流変化成分とを含む。
【００２５】
ここで、タップ成分にはポインティングエリアＰＡに指が接触している位置を示すアドレス成分が含まれており、スライド成分にはポインティングエリアＰＡ上を、指がどの位置からどの位置まで滑ったのかを表わすアドレス成分が含まれている。
【００２６】
制御駆動部４は、走査駆動信号を横方向走査部２及び縦方向走査部３にそれぞれ送ることで、これら横方向走査部２及び縦方向走査部３を駆動する。Ａ／Ｄ（アナログ／デジタル）変換器５は、縦方向走査部３が生成したシリアル検出信号をデジタル信号に変換する。タップ／スライド成分抽出部６は、デジタル信号に変換されたシリアル検出信号の中から、上述したタップ成分及びスライド成分を抽出した後、これらを分離して３次元の座標値へ変換し、これをタップ成分及びスライド成分と共に出力する。
【００２７】
データ処理部７は、タップ／スライド成分抽出部６から送られる３次元の座標値に基づいて、タッピングが実行されたか否かを判断すると共に、スライド成分からノイズを除去し、Ｘ軸／Ｙ軸から構成されるポインティングエリアＰＡの２次元座標における指の位置の変化を、滑らかな直線或いは曲線に補正する。同時に特定領域で検出された電流変化成分（以下、特定領域情報と云う）のデータ処理も行う。
【００２８】
インターフェイス部８は、情報処理端末本体ＢＤとの間でデータの授受を行うための回路である。このインターフェイス部８は、データ処理部７から送られた情報に基づいて、補正されたパット面の２次元座標上の絶対座標（Ｘ，Ｙ）毎に、タップオン／オフの情報を付加して、タップ成分及びスライド成分と一緒に出力ポート９ａへ送出する。同時に、ポインティングエリアＰＡが単一領域か複数領域かの情報も出力ポート９ａへ送出される。
【００２９】
情報処理端末本体ＢＤは、インターフェイス部１０、ＣＰＵ１１、表示部１２、ＲＯＭ(Read Only Memory)１３、ＲＡＭ(Random Access Memory)１４、キーボード１５、及びバスライン１６を有する。
インターフェイス部１０は、タッチパッドＴＰとの間でデータの授受を行うための回路であって、入力ポート９ｂを介して各情報を受け取る機能を有する。
ＣＰＵ１１は、インターフェイス部１０を除いた情報処理端末本体ＢＤを統括制御する機能を有しており、各機能は、複数領域判断手段１１ａ、複数画面対応表示手段１１ｂ、単一画面対応表示手段１１ｃ、データ解析手段１１ｄ、データ変換手段１１ｅ、スクロール判定/実行手段１１ｆ、及びモード判定手段１１ｇ等が挙げられる。
【００３０】
複数領域判断手段１１ａは、タッチパッドＴＰのポインティングエリアＰＡが複数領域に設定されているか否かを判断する。
複数画面対応表示手段１１ｂは、表示部１２に表示される複数の画面と、タッチパッドＴＰのポインティングエリアＰＡの複数の領域とを対応して表示させる。
単一画面連動表示手段１１ｃは、タッチパッドＴＰのポインティングエリアＰＡが複数の領域に仕切られていない場合にタッチパッドＴＰのポインティングエリアＰＡの単一の領域に表示部１２の画面を対応して表示させる。
【００３１】
データ解析手段１１ｄは、タッチパッドＴＰ側から送られる情報をインターフェイス部１０から取り込んで解析を行い、タッピングが実行されたか否かを判断すると共に、ポインティングエリアＰＡ上に指があるのか、ポインティングエリアＰＡで指を滑らせているか等の判定処理を行い、この判定結果をデータ変換手段１１ｅへ送る。
【００３２】
データ変換手段１１ｅは、データ解析手段１１ｄで解析されたタッピングの有無の情報やポインティングエリアＰＡでの指の操作状態の判定結果等から、予め決められた特定の処理を実行すべきか否かを判定する。これら特定の処理とは、前述の指のそれぞれの操作に基づいて行われるタッピング操作とポインティング操作及びスクロール操作である。
【００３３】
スクロール判定/実行手段１１ｆは、データ変換手段１１ｅからの情報に基づいて、スクロールするか否かの判定、及びスクロールの実行を指示する。
【００３４】
モード変換手段１１ｇは、タッチパッドＴＰに対する各種の設定値が格納されており、データ変換手段１１ｅは、モード変換部１４から送られるこれら設定値に基づいて、処理の内容を変更するように構成される。これら設定値は、ユーザがポインティングエリアＰＡ上でタッピングすべき領域の範囲や、これらの処理を行った際にユーザに対して通知を行うか否かの設定などがある。尚、これらの設定値は、例えば、ユーザがコンピュータの画面に表示されるメニューを操作する周知の処理によって、モード変換手段１１ｇに設定される。
【００３５】
表示部１２は、例えばパーソナルコンピュータのディスプレイ装置であって、ＣＰＵ１１の指示に従って、デスクトップに表示される画面に、ウィンドウやポインタ（カーソル）Ｐなど各種の画像表示を行ったり、タッチパッドＴＰのユーザの指により押された接触点の絶対座標（Ｘ，Ｙ）に対応する位置にポインタＰを表示させたりする。表示部１２には例えば、液晶ディスプレイが用いられるが、プラズマディスプレイ、ＥＬ(Electric Luminescence)を用いてもよい。
【００３６】
ＲＯＭ１３は、ＣＰＵ１１の動作プログラム、上述した絶対座標（Ｘ，Ｙ）のフォーマットで規定されたポインティングエリアＰＡ自体の大きさなどが格納されており、例えば、マスクＲＯＭが用いられる。
【００３７】
ＲＡＭ１４は、情報を一時的に記憶する機能を有しており、例えば、フラッシュメモリが用いられる（ＥＥＰＲＯＭ、ＨＤＤ(Hard Disk Drive)を用いてもよい）。
キーボード１５は、文字入力キー、ファンクションキー、アプリケーションキー、制御キー等のキーを有する入力装置である。尚、図示しないマウスがインターフェイス部１０に接続されていてもよい。
【００３８】
［動  作］
次に図１（ａ）〜（ｃ）に示した情報処理端末の動作について、図を参照して説明する。
図２は、本発明に係るタッチパッドの制御方法の一実施の形態を示すフローチャートである。動作の主体はＣＰＵ１１である。
まず、複数画面の設定が有るか否かの判断を行い（ステップＳ１）、複数画面の設定が有ると判断した場合（ステップＳ１／Ｙ）、表示部に複数画面が表示され（ステップＳ２）、領域Ａにタッチされているか否かを判断する（ステップＳ３）。
領域Ａにタッチされていると判断した場合（ステップＳ３／Ｙ）、領域Ａに対応する画面Ａがアクティブになり（ステップＳ４）、ステップＳ５に進み、領域Ａにタッチされていないと判断した場合（ステップＳ３／Ｎ）、領域Ｂにタッチされているか否かを判断する（ステップＳ１１）。
ステップＳ５では領域Ａからのデータを出力し、ステップＳ６へ進む。
領域Ｂにタッチされていると判断した場合（ステップＳ１１／Ｙ）、画面Ｂをアクティブにし（ステップＳ１２）、領域Ｂからのデータを出力し（ステップＳ１３）、ステップＳ６へ進む。
領域Ｂにタッチされていないと判断した場合（ステップＳ１１／Ｎ）、ステップＳ２に戻る。
【００３９】
ステップＳ６では、指が境界線を越えたか否かを判断し、指が境界線を越えたと判断した場合（ステップＳ６／Ｙ）、ポインティングエリアＰＡにタッチしていたか否かを判断する（ステップＳ７）。
指がポインティングエリアＰＡにタッチしていたと判断した場合（ステップＳ７／Ｙ）、ステップＳ２に戻り、指がポインティングエリアＰＡにタッチしていないと判断した場合（ステップＳ７／Ｎ）、タッチ後の領域からのデータを出力し（ステップＳ１４）、ステップＳ３に戻る。
【００４０】
ステップＳ１において、複数画面の設定がされていないと判断した場合（ステップＳ１／ｎ）、表示部は単一画面を表示し（ステップＳ８）、その単一画面をアクティブにし（ステップＳ９）、単一領域からのデータを出力してステップＳ１に戻る（ステップＳ１０）。
【００４１】
以上において、本実施形態のタッチパッドは、ポインティングエリア上でユーザが行った動作を検知すると共に、複数の領域に仕切られており、各領域は、表示部に表示される複数の画面に対応付けられている。
【００４２】
＜実施の形態２＞
図３は、本発明に係る情報処理端末による画面表示の一例を示す図である。尚、図１（ａ）〜（ｃ）に示した要素と同様の要素には共通の符号を用いた。
図３に示す情報処理端末のキーボード１５を操作してローカルデスクトップと、リモートデスクトップとの二画面表示動作を行わせると、タッチパッドＴＰのポインティングエリアＰＡに境界部Ｌが内部照明により表示される。これと同時に表示部１２に一の画面としての画面Ａが表示され、その画面Ａの中に他の画面としての画面Ｂが表示されている。一の画面は例えば、出張先の情報処理端末のローカルデスクトップであり、他の画面は職場の机上に設置された情報処理端末のリモートデスクトップである。
【００４３】
ユーザが情報処理端末のタッチパッドＴＰの領域Ａに指で情報を入力するときは、領域Ａに対応する画面ＡがアクティブとなりポインタＰが表示される。ユーザが指により領域Ａで情報を入力中にそのまま境界部Ｌを超えた場合には、画面Ａがアクティブな状態が保持される。これに対して、ユーザが指により領域Ａで情報を入力中に一旦ポインティングエリアＰＡから離れて領域Ｂに指が接触した場合には、画面Ｂがアクティブとなり、ポインタＰは画面Ｂに表示される。
【００４４】
尚、一の画面と他の画面とが逆の場合であっても同様のため、説明を省略する。
【００４５】
＜実施の形態３＞
図４は、本発明に係る情報処理端末による画面表示の他の一例を示す図である。
図４に示した実施の形態との相違点は、一の画面が通常デスクトップ（又は仮想デスクトップ）であり、他の画面が仮想デスクトップ（又は通常デスクトップ）である点である。
【００４６】
図４に示す情報処理端末のキーボード１５を操作して通常デスクトップと、仮想デスクトップとの二画面表示動作を行わせると、タッチパッドＴＰのポインティングエリアＰＡに境界部Ｌが内部照明により表示される。これと同時に表示部１２に一の画面としての画面Ａが全面表示され、画面Ａの裏側で画面Ｂが待機状態となる。
【００４７】
ユーザが情報処理端末のタッチパッドＴＰの領域Ａに指で情報を入力するときは、領域Ａに対応する画面ＡがアクティブとなりポインタＰが表示される。ユーザが指により領域Ａで情報を入力中にそのまま境界部Ｌを超えた場合には、画面Ａがアクティブな状態が保持される。
これに対して、ユーザが指により領域Ａで情報を入力中に一旦ポインティングエリアＰＡから離れて領域Ｂに指が接触した場合には、画面Ｂがアクティブとなって画面Ｂに切り替わり、ポインタＰが画面Ｂに表示される。
【００４８】
尚、一の画面と他の画面とが逆の場合であっても同様のため、説明を省略する。
【００４９】
＜実施の形態４＞
図５は、本発明に係るタッチパッドを用いた情報処理端末の他の実施の形態を示す外観図であり、図６は、図５に示した情報処理端末のブロック図の一例である。
図５、６に示した実施の形態の図１（ａ）〜（ｃ）に示した実施の形態との相違点は、情報処理端末に他の表示部が外付けされている点である。
図５に示す情報処理端末にコネクタケーブル２０を介して表示部１２ｂが接続されている。例えば、表示部１２ａにはタッチパネルＴＰの領域Ａに対応した画面が表示され、表示部１２ｂにはタッチパネルＴＰの領域Ｂに対応した画面が表示される。図ではタッチパネルＴＰの領域Ａにユーザの指が接触しているため、表示部１２ａがアクティブとなっている。
【００５０】
図６に示した情報処理端末は、タッチパッドＴＰと、情報処理端末本体ＢＤと、他の表示部１２ｂとの３つの機器から構成される。情報処理端末本体ＢＤは、表示部１２ａ、キーボード１５、及びタッチパッドＴＰを有する。この情報処理端末本体ＢＤに他の表示部１２ｂがインターフェイス部１０に接続されたものである。本実施形態では、タッチパッドＴＰが情報処理端末本体ＰＣのタッチパッドであり、情報処理端末本体ＰＣはタッチパッドＴＰが接続されたパーソナルコンピュータである。
タッチパッドＴＰ及び情報処理端末本体ＢＤは図１（ａ）〜（ｃ）に示した情報処理端末とほぼ同様の構成のため、説明を省略する。
このような情報処理端末の構成であっても図１（ａ）〜（ｃ）に示した情報処理端末と同様の効果が得られる。
【００５１】
＜実施形態５＞
図７（ａ）、（ｂ）は、本発明に係るタッチパッドを用いた情報処理端末の他の実施の形態を示す外観図である。
図７（ａ）に示した実施の形態の図１（ａ）〜（ｃ）に示した実施の形態との相違点は、タッチパッドＴＰＰ１が、情報処理端末にコネクタケーブル２１を介して着脱自在に接続される点である。
図７（ａ）に示すように通常の大きさのタッチパッドＴＰＣを有する情報処理端末にコネクタケーブル（ＵＳＢ(Universal Serial Bus line)コネクタを有するのが好ましい。）２１を介してタッチパッドＴＰＰ１を接続することで、指の移動できる距離が拡大でき、操作性が向上する。
このような情報処理端末の構成であっても図１（ａ）〜（ｃ）に示した情報処理端末と同様の効果が得られる。
【００５２】
＜実施形態６＞
図７（ｂ）に示した実施の形態の図１（ａ）〜（ｃ）に示した実施の形態との相違点は、タッチパッドＴＰＰ２が、情報処理端末に無線通信手段（例えば、ブルーツース、もしくは赤外線送受信装置）を介して接続される点である。
図７（ｂ）に示すように通常の大きさのタッチパッドＴＰＣを有する情報処理端末にコネクタケーブル２１を介してタッチパッドＴＰＰ２を接続することで、指の移動できる距離が拡大でき、操作性が向上する。
このような情報処理端末の構成であっても図１（ａ）〜（ｃ）に示した情報処理端末と同様の効果が得られる。
【００５３】
＜プログラム＞
以上で説明した本発明にかかる情報処理端末は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００５４】
プログラムとしては、例えば、
表示部を有する情報処理端末に情報を入力するポインティングエリアを有するタッチパッドの制御用のプログラムにおいて、
コンピュータに、
(1)タッチパッドのポインティングエリアが複数の領域に仕切られているか否かを判断する手順、
(2)ポインティングエリアが複数の領域に仕切られている場合には、各領域を表示部に対応付けられて表示される複数の画面にそれぞれ連動させる手順、
(3)ポインティングエリアが複数の領域に仕切られていない場合にはポインティングエリアに対応した単一の画面を表示部に表示させる手順、
を実行させるプログラムが挙げられる。
【００５５】
これにより、プログラムが実行可能なコンピュータ環境さえあれば、どこにおいても本発明にかかる情報処理端末を実現することができる。
このようなプログラムは、コンピュータに読み取り可能な記憶媒体に記憶されていてもよい。
【００５６】
＜記憶媒体＞
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００５７】
なお、上述した実施の形態は、本発明の好適な実施の形態の一例を示すものであり、本発明はそれに限定されることなく、その要旨を逸脱しない範囲内において、種々変形実施が可能である。
【産業上の利用可能性】
【００５８】
本発明は、ノートパソコン、デスクトップパソコン、ＰＤＡ等の情報処理端末に利用できる。
【符号の説明】
【００５９】
１    センサ基板
２    横方向走査部
３    縦方向走査部
４    制御駆動部
５    Ａ／Ｄ変換器
６    タップ／スライド成分抽出部
７    データ処理部
８、１０    インターフェイス部
９ａ    出力ポート
９ｂ    入力ポート
１１    ＣＰＵ
１２    表示部
１３    ＲＯＭ
１４    ＲＡＭ
１５    キーボード
１６    バスライン
ＢＤ    情報処理端末本体
ＰＡ    ポインティングエリア
ＰＣ    情報処理端末
ＴＰ、ＴＰＣ、ＴＰＰ１、ＴＰＰ２    タッチパッド
【図１】
2011076363.tif 000003
【図２】
2011076363.tif 000004
【図３】
2011076363.tif 000005
【図４】
2011076363.tif 000006
【図５】
2011076363.tif 000007
【図６】
2011076363.tif 000008
【図７】
2011076363.tif 000009